(57)【要約】【課題】転炉ガスの発生量の変動に対応するために、混合ガスミキサに供給する転炉ガスの流量（転炉ガスの混合ガス行流量）を制御するに際して、転炉ガスを混合ガスミキサに供給する転炉ガスブロワの不必要な動力消費を低減させて、効率的に転炉ガスの混合ガス行流量を制御することができる転炉ガスの混合ガス行流量制御方法を提供する。【解決手段】転炉の操業情報（吹錬予告信号、吹錬開始前信号、転炉ガス回収終了信号等）に基づいて、転炉ガスブロワ２の回転数を調整することによって、転炉ガスの混合ガス行流量を制御する。【選択図】図３
2014201816.tif 000002
【特許請求の範囲】
【請求項１】
転炉ガスの発生量の変動に対応するために、混合ガスミキサに供給する転炉ガスの流量を制御するに際して、転炉の操業情報に基づいて、転炉ガスを混合ガスミキサに供給する転炉ガスブロワの回転数を調整することによって、混合ガスミキサに供給する転炉ガスの流量を制御することを特徴とする転炉ガスの混合ガス行流量制御方法。
【請求項２】
転炉の操業情報として、吹錬予告信号、吹錬開始前信号、吹錬開始信号の内の少なくとも１個の信号を用い、前記信号を受け取ると、転炉ガスブロワの回転数を上昇させて、混合ガスミキサに供給する転炉ガスの流量を増加させることを特徴とする請求項１に記載の転炉ガスの混合ガス行流量制御方法。
【発明の詳細な説明】
【技術分野】
【０００１】
本発明は、転炉ガスの混合ガス行流量を制御する方法に関するものである。
【背景技術】
【０００２】
図１は、製鉄所の燃料ガスフローを示すものである。図１に示すように、転炉で発生する副生ガス（転炉ガス）１の主な使用先は発電所１０と混合ガスミキサ３である。ちなみに、転炉ガスブロワ２によって混合ガスミキサ３に供給された転炉ガス１は、混合ガスミキサ３で他の燃料ガスと混合されて混合ガス８となり、その使用先に供給される。
【０００３】
その際、転炉は操業が間欠的であるため、転炉ガスの発生量は転炉の稼動状況によって大きく変動する。この転炉ガスの発生量の変動に対しては、発電所１０のボイラ投入熱量を急激に変更することができないことから、発電所１０行の転炉ガスは流量（使用量）の変更を極力少なくし、混合ガスミキサ３行（混合ガス行）の転炉ガスの流量（使用量）の調整・制御と、転炉ガスホルダ９への一時的貯蔵によって対応するようにしている（例えば、特許文献１参照）。
【０００４】
ここで、図２は、転炉ガスブロワ２を中心としたガス流路を示す図である。図２に示すように、転炉ガスブロワ２の吸入側に吸入弁４、吐出側に吐出弁５が設けられ、混合ガスミキサ３に向かう流路に流量調節弁６、バイパス流路にバイパス弁７が設けられている。
【０００５】
そして、特許文献１では、転炉ガスの発生量の変動に対して、混合ガスミキサ３行（混合ガス行）の転炉ガス流量を制御する場合に、転炉の稼動情報に基づいて、流量調節弁６の開度を調節することで、混合ガス行の転炉ガス流量の制御を行っている。
【先行技術文献】
【特許文献】
【０００６】
【特許文献１】特開平２−２５４１１５号公報
【発明の概要】
【発明が解決しようとする課題】
【０００７】
しかしながら、上記特許文献１のように、転炉ガスの混合ガス行流量を流量調節弁６の開度調節によって制御する場合は、転炉ガスブロワ２が定格運転をしている状態にあり、またバイパス弁７により転炉ガスブロワ２の吐出側の転炉ガスを吸入側に戻して圧力制御を行っているため、転炉ガスが発生していなくて、混合ガスミキサ３に転炉ガスが供給されない状態であっても、転炉ガスブロワ２の定格動力が必要な状態となっている。
【０００８】
本発明は、上記のような事情に鑑みてなされたものであり、転炉ガスの発生量の変動に対応するために、混合ガスミキサに供給する転炉ガスの流量（転炉ガスの混合ガス行流量）を制御するに際して、転炉ガスを混合ガスミキサに供給する転炉ガスブロワの不必要な動力消費を低減させて、効率的に転炉ガスの混合ガス行流量を制御することができる転炉ガスの混合ガス行流量制御方法を提供することを目的とするものである。
【課題を解決するための手段】
【０００９】
上記課題を解決するために、本発明は以下の特徴を有している。
【００１０】
［１］転炉ガスの発生量の変動に対応するために、混合ガスミキサに供給する転炉ガスの流量を制御するに際して、転炉の操業情報に基づいて、転炉ガスを混合ガスミキサに供給する転炉ガスブロワの回転数を調整することによって、混合ガスミキサに供給する転炉ガスの流量を制御することを特徴とする転炉ガスの混合ガス行流量制御方法。
【００１１】
［２］転炉の操業情報として、吹錬予告信号、吹錬開始前信号、吹錬開始信号の内の少なくとも１個の信号を用い、前記信号を受け取ると、転炉ガスブロワの回転数を上昇させて、混合ガスミキサに供給する転炉ガスの流量を増加させることを特徴とする前記［１］に記載の転炉ガスの混合ガス行流量制御方法。
【発明の効果】
【００１２】
本発明においては、転炉ガスの発生量の変動に対応するために、混合ガスミキサに供給する転炉ガスの流量（転炉ガスの混合ガス行流量）を制御するに際して、転炉ガスブロワの不必要な動力消費を低減させて、効率的に転炉ガスの混合ガス行流量を制御することができる。
【図面の簡単な説明】
【００１３】
【図１】製鉄所の燃料ガスフローを示す図である。
【図２】転炉ガスブロワを中心としたガス流路を示す図である。
【図３】本発明の一実施形態を示す図である。
【図４】本発明の実施例の結果を示す図である。
【発明を実施するための形態】
【００１４】
本発明の一実施形態を図面に基づいて説明する。
【００１５】
まず、この実施形態において対象とするのは、前述の図１に示した製鉄所の燃料ガスフローである。転炉ガス１の使用先は発電所１０と混合ガスミキサ３である。転炉ガスブロワ２によって混合ガスミキサ３に供給された転炉ガス１は、混合ガスミキサ３で他の燃料ガスと混合されて混合ガス８となり、その使用先に供給される。
【００１６】
その際、転炉ガスの発生量の変動に対しては、混合ガスミキサ３行の転炉ガスの流量（使用量）の制御によって対応するようにしている。
【００１７】
その上で、この実施形態においては、転炉ガスの発生量の変動に対応するために、混合ガスミキサ３に供給する転炉ガスの流量（転炉ガスの混合ガス行流量）を制御するに際して、転炉の操業情報に基づいて、転炉ガスブロワ２の回転数を調整することによって、転炉ガスの混合ガス行流量を制御するようにしている。
【００１８】
上記の転炉の操業情報としては、例えば、原料装入開始（場合によっては、防爆シャッターの閉鎖、でも利用可能）を示す吹錬予告信号、吹錬開始前作業である酸素吹込ランスの稼動を示す吹錬開始前信号、酸素の吹き込み開始を示す吹錬開始信号、転炉ガスの回収終了を示す転炉ガス回収終了信号を用いる。
【００１９】
そして、転炉ガスブロワ２の制御装置（図示せず）が、上記の吹錬予告信号、吹錬開始前信号、吹錬開始信号を受信すると、転炉ガスブロワ２の回転数を上昇させて、転炉ガスの混合ガス行流量を増加させ、上記の転炉ガス回収終了信号を受信すると、転炉ガスブロワ２の回転数を下降させて、転炉ガスの混合ガス行流量を減少させる。
【００２０】
このようにして、この実施形態においては、転炉ガスの発生・回収時期が近づくにつれて、転炉ガスブロワ２の回転数を上昇させて、転炉ガスの混合ガス行流量を増加させるようにしているので、従来のように、転炉ガスブロワ２を常時定格動力で運転させている場合に比べて、転炉ガスブロワ２の消費動力を低減させて、効率的に転炉ガスの混合ガス行流量を制御することができる。
【００２１】
なお、上記においては、必要に応じて、吹錬予告信号、吹錬開始前信号、吹錬開始信号の内の少なくとも１個の信号を用いればよい。
【００２２】
また、転炉の操業情報として、高炉の吹錬計画、発電所１０行の転炉ガス流量、転炉ガスホルダ９の貯蔵レベル等を用いることができる。
【００２３】
図３に、本発明の一実施形態の具体例を示す。
【００２４】
図３に示すように、ここでは、転炉の操業情報として、吹錬予告信号、吹錬開始前信号、転炉ガス回収終了信号を用いて、転炉ガスブロワ２の回転数を調整している。
【００２５】
すなわち、まず、吹錬予告信号を受信するまでは、転炉ガスブロワ２の回転数を定格回転数の５０％とし、次に、吹錬予告信号を受信すると、転炉ガスブロワ２の回転数を定格回転数の８０％に上昇させ、さらに、吹錬開始前信号を受信すると、転炉ガスブロワ２の回転数を定格回転数（１００％）に上昇させている。そして、転炉ガス回収終了信号を受信すると、転炉ガスブロワ２の回転数を定格回転数の５０％に下降させている。
【００２６】
これによって、転炉ガスブロワ２の消費動力が、定格動力の１３％、５１％、１００％、１３％と推移するようになり、従来のように、転炉ガスブロワ２を常時定格動力（１００％）で運転させている場合に比べて、転炉ガスブロワ２の消費動力を低減させることができる。
【実施例】
【００２７】
本発明の実施例を述べる。
【００２８】
本発明例として、上記の本発明の一実施形態に基づいて、転炉ガスの混合ガス行流量の制御を行った。
【００２９】
また、比較のために、従来例として、従来のように、混合ガスミキサ３に向かう流路に設けられている流量調節弁６の開度調節によって、転炉ガスの混合ガス行流量の制御を行った。
【００３０】
その結果、図４に示すように、転炉ガスブロワ２の消費動力が、従来例を１００％とした時に、本発明例では、５５％と大幅に低減した。
【００３１】
これによって、本発明の有効性が確認された。
【符号の説明】
【００３２】
１  転炉ガス
２  転炉ガスブロワ
３  混合ガスミキサ
４  吸入弁
５  吐出弁
６  流量調節弁
７  バイパス弁
８  混合ガス
９  転炉ガスホルダ
１０  発電所
【図１】
2014201816.tif 000003
【図２】
2014201816.tif 000004
【図３】
2014201816.tif 000005
【図４】
2014201816.tif 000006